(57)【要約】【課題】メガネフレーム、ネックレス、イヤリング、指輪、時計、ネクタイ、ネクタイピン、衣服、靴、帽子、衣服、鞄等に着脱自在に構成することによってそれらのデザインに変化を持たせる。【解決手段】装飾体本体２に電気エネルギーの供給によって発光する発光体３と、発光体３に電気エネルギーを供給する電源４と、発光体３及び電源４を制御する制御手段５とを設け、装飾体本体２を装身具等に着脱自在に構成する。昼間、夜間、屋外、室内等の状況の変化に応じて装飾体１をメガネフレーム等に取り付けて使用したり、取り外して使用したりすることができるので、メガネフレーム等のデザインに変化を持たせることができ、デザインの選択の幅を広げることができる。【選択図】        図１
2005065741.tif 000002
【特許請求の範囲】
【請求項１】
装飾体本体に電気エネルギーの供給によって発光する発光体と、該発光体に電気エネルギーを供給する電源と、前記発光体及び前記電源を制御する制御手段とを設け、前記装飾体本体を装身具等に着脱自在に構成したことを特徴とする装飾体。
【請求項２】
前記電源は一次電池又は二次電池である請求項１に記載の装飾体。
【請求項３】
前記電源から有線によって前記電気エネルギーを供給するように構成した請求項１又は２に記載の装飾体。
【請求項４】
前記電源をＯＮ／ＯＦＦさせる電源スイッチを設けた請求項１から３の何れかに記載の装飾体。
【請求項５】
前記装飾体本体に光量を検出する光量センサを設け、該光量センサからの信号に応じて前記制御手段により前記発光体の発光量を制御するように構成した請求項１から４の何れかに記載の装飾体。
【発明の詳細な説明】
【０００１】
【発明の属する技術分野】
本発明は、メガネ、ネックレス、イヤリング、指輪、時計、ブローチ、ネクタイ、ネクタイピン等の装身具に取り付けられる装飾体に関し、特に、装身具のデザインに変化をもたせる機能を備えた装飾体に関するものである。
【０００２】
【従来の技術】
メガネ、ネックレス、イヤリング、指輪、時計、ブローチ、ネクタイ、ネクタイピン等の装身具は、身体や衣服等に取り付けることにより装身具独自のデザインによって身体や衣服等を装飾することができ、それらの外観を美化させることができるものである。
【０００３】
しかし、上記のような構成の装身具にあっては、装身具独自のデザインを有しているものの、昼間、夜間、屋外、室内等の周囲の状況に応じてデザインに変化を持たせるような機能は備えていない。このため、周囲の状況に応じてデザインに変化を持たせるには、デザインの異なるものを数種類用意しておき、周囲の状況に応じたデザインのものを選択して使用しなければならない煩わしさがある。
【０００４】
一方、上記のような問題に対処するために、装身具に発光手段、発光源等を内蔵させたものが提案されている（例えば、特許文献１参照。）。
【０００５】
【特許文献１】
特開２０００−２８７７２６号公報
【０００６】
このような構成の装身具にあっては、発光源により発光手段を発光させることにより、装身具独自のデザインと発光手段の発光とが相俟って全体のデザインに変化を持たせることができるものである。
【０００７】
しかし、発光手段、発光源等を装身具に一体的に設けているため、必要に応じて発光手段、発光源等を取り付けたり、取り外したりするような使い方をすることができず、デザインの選択の幅が狭いものである。
【０００８】
【発明が解決しようとする課題】
本発明は、上記のような従来の問題を解決したものであって、装身具に使用した場合には、昼間、夜間、屋外、室内等の周囲の状況に応じて装身具のデザインに変化を持たせることができるとともに、デザインの選択の幅が広い装飾体を提供することを目的とするものである。
【０００９】
【課題を解決するための手段】
上記のような課題を解決するために、本発明の請求項１に係る装飾体は、装飾体本体に電気エネルギーの供給によって発光する発光体と、該発光体に電気エネルギーを供給する電源と、前記発光体及び前記電源を制御する制御手段とを設け、前記装飾体本体を装身具等に着脱自在に構成した手段を採用している。
また、本発明の請求項２に係る装飾体は、請求項１に記載の装飾体において、前記電源は一次電池又は二次電池である手段を採用している。
さらに、本発明の請求項３に係る装飾体は、請求項１又は２に記載の装飾体において、前記電源から有線によって前記電気エネルギーを供給するように構成した手段を採用している。
さらに、本発明の請求項４に係る装飾体は、請求項１から３の何れかに記載の装飾体において、前記電源をＯＮ／ＯＦＦさせる電源スイッチを設けた手段を採用している。
さらに、本発明の請求項５に係る装飾体は、請求項１から４の何れかに記載の装飾体において、前記装飾体本体に光量を検出する光量センサを設け、該光量センサからの信号に応じて前記制御手段により前記発光体の発光量を制御するように構成した手段を採用している。
【００１０】
【作用】
本発明は、上記のような手段を採用したことにより、装飾体を装身具等に取り付け、電源から発光体に電気エネルギーが供給することにより、発光体が発光することになる。この場合、発光体は、制御手段によって制御されて点灯又は点滅することになる。さらに、電源は一次電池又は二次電池からなり、この一次電池又は二次電池から発光体に電気エネルギーが供給される。さらに、電源から発光体に有線によって電気エネルギーが供給される。さらに、電源スイッチをＯＮ／ＯＦＦさせることにより、電源から発光体へ電気エネルギーが供給され、又は供給が停止されることになる。さらに、光量センサにより周囲の光量を検出し、この光量センサから信号により制御手段が発光体の発光量を制御することになる。
【００１１】
【発明の実施の形態】
以下、図面に示す本発明の実施の形態について説明する。
図１及び図２には、本発明による装飾体の第１の実施の形態が示されていて、この装飾体１は、装飾体本体２と、装飾体本体２に設けられる発光体３と電源４と制御手段５とを備えており、この実施の形態においてはメガネフレームのモダンを装飾体１としている。装飾体１は、合成樹脂から形成されるものであって、メガネフレームのテンプル９の端部に着脱自在に取り付けられる。
【００１２】
発光体３は、電気エネルギーの供給によって発光するものであって、例えば発光ダイオード（ｌｉｇｈｔ  ｅｍｉｔｔｉｎｇ  ｄｉｏｄｅ）等が挙げられる。発光ダイオードとしては、赤色、緑色、青色等の可視光を発光する可視光発光ダイオードが有効である。但し、これらに限定することなく、同様の機能を有するものであれば良い。発光体３は、装飾体本体２に嵌合、接着剤、ねじ止め等の周知の取付け手段によって取り付けられる。発光体３の数は、特に制限されるものではなく、１つ、又は２つ以上とすることができる。
【００１３】
電源４は、例えば一次放電タイプの一次電池（マンガン電池、アルカリ電池、リチウム電池等）、充電可能な二次電池（ニッケル・カドミウム電池、リチウムイオン電池等）が挙げられる。但し、これらに限定することなく、同様の機能を有するものであれば良い。
【００１４】
電源４は、装飾体本体２に着脱自在に設けられるとともに、電源４と発光体３との間は有線（メタルケーブル、光ファイバーケーブル等）によって接続され、電源４から有線を介して電気エネルギーが発光体３に供給される。
【００１５】
電源４と発光体３との間には電源スイッチ（図示せず）が設けられ、この電源スイッチを手動により又は自動的にＯＮ／ＯＦＦ作動させることにより、電源４から発光体３に電気エネルギーを供給したり、供給を停止したりすることができる。
【００１６】
制御手段５は、電源４及び発光体３を制御するＣＰＵ６、発光体３の発光を制御する回路が組み込まれた発光体点灯回路７等からなり、この制御手段５によって発光体３を点灯させたり、点滅させたりすることができる。
【００１７】
上記のように構成したこの実施の形態による装飾体１にあっては、メガネフレームのテンプル９の端部に着脱自在に構成されているので、必要に応じてテンプル９の端部にモダンとして取り付けて使用することができ、デザインの選択の幅を広げることができる。
【００１８】
図３には、本発明による装飾体の第２の実施の形態が示されていて、この装飾体１は、装飾体本体２の端部に発光体３を吊下げたものであって、その他の構成は前記第１の実施の形態に示すものと同様である。
【００１９】
そして、この実施の形態に示す装飾体１にあっても、メガネフレームのテンプル９の端部に着脱自在に構成されているので、必要に応じてテンプル９の端部にモダンとして取り付けて使用することができ、デザインの選択の幅を広げることができる。
【００２０】
図４には、本発明による装飾体の第３の実施の形態が示されていて、この装飾体１は、装飾体本体２に光量センサ８を設けたものであって、その他の構成は前記第１の実施の形態に示すものと同様である。
【００２１】
そして、この実施の形態による装飾体１にあっても、前記第１の実施の形態に示すものと同様に、メガネフレームのテンプル９の端部に着脱自在に構成されているので、必要に応じてテンプル９の端部にモダンとして取り付けて使用することができる。従って、デザインの選択の幅を広げることができる。また、この実施の形態においては、光量センサ８によって周囲の光量を検出し、光量センサ８からの信号に応じて制御手段５を介して発光体３の光量を制御することができるので、デザインの選択の幅を更に広げることができる。
【００２２】
なお、前記各実施の形態においては、メガネフレームのモダン自体を装飾体として、装飾体をメガネフレームのテンプルの端部に着脱自在に構成したが、発光体、電源、制御手段等を組み込んだ装飾体をモダンに接着、ねじ止め、吊下げ等の手段によって着脱自在に構成しても良い。また、発光体、電源、制御手段等を組み込んだ装飾体をメガネフレームのテンプル、ヨロイ、ブリッジ、枠、又はレンズ等に接着、ねじ止め、吊下げ等の手段によって着脱自在に構成しても良い。さらに、メガネフレームに限らず、ネックレス、イヤリング、指輪、時計、ネクタイ、ネクタイピン、衣服、靴、帽子、衣服、鞄等に本発明による装飾体を適用しても良い。
【００２３】
【発明の効果】
本発明は、前記のように構成したことにより、必要に応じて、本発明による装飾体をメガネフレーム、ネックレス、イヤリング、指輪、時計、ネクタイ、ネクタイピン、衣服、靴、帽子、衣服、鞄等に取り付けることにより、それらに独自のデザインと発光体の発光によるデザインとが相俟って全体としてのデザインに変化を持たせることができる。また、不要なときには、本発明による装飾体をそれらから取り外すことにより、それらに独自のデザインが得られることになる。従って、昼間、夜間、屋外、室内等の状況の変化に応じて、本発明による装飾体を取り付けて使用したり、取り外して使用したりすることができるので、デザインの選択の幅を広げることができることになる。
【図面の簡単な説明】
【図１】
本発明による装飾体の第１の実施の形態を示した部分拡大平面図である。
【図２】
図１の装飾体のブロック図である。
【図３】
本発明による装飾体の第２の実施の形態を示した部分拡大平面図である。
【図４】
本発明による装飾体の第３の実施の形態を示した部分拡大平面図である。
【符号の説明】
１……装飾体
２……装飾体本体
３……発光体
４……電源
５……制御手段
６……ＣＰＵ
７……発光体点灯回路
８……光量センサ
９……テンプル
【図１】
2005065741.tif 000003
【図２】
2005065741.tif 000004
【図３】
2005065741.tif 000005
【図４】
2005065741.tif 000006